(57)【特許請求の範囲】
【請求項１】
それぞれ磁気ギャップを有する第１の磁気ヘッド部と第２の磁気ヘッド部とを相互に離間して設け、これらを磁気記録媒体に対して相対移動し、該磁気記録媒体への書き込み／読み出しをおこなう磁気ヘッドが、ジンバル部材に取り付けられるとともに、該磁気ヘッドが、このジンバル部材の裏側からピボット部により押圧される構成とされ、
前記ピボット部のジンバル部材へ当接するピボット位置が、磁気ヘッドの中心位置から、第２の磁気ヘッド部側に偏心した位置に設定され、
前記ピボット位置が、磁気ヘッドの中心位置から、磁気媒体の移動方向下流側に向くトレーリング側に偏心した位置に設定され、
前記第２の磁気ヘッド部における磁気ギャップと該第２の磁気ヘッド部の幅方向外縁部との寸法が、前記第２の磁気ヘッド部における磁気ギャップと該第２の磁気ヘッド部の幅方向内縁部との寸法より小さく設定され、
第２の磁気ヘッド部のドライブ状態において、第１の磁気ヘッド部と磁気記録媒体との間隔が、第２の磁気ヘッド部と磁気記録媒体との間隔よりも大きくなるよう磁気記録媒体に対して傾いた状態で浮上してなることを特徴とする磁気ヘッド装置。
【請求項２】
前記ピボット位置が、前記磁気ヘッドの中心位置からトレーリング側に向かう方向を０度とし、これから前記第１の磁気ヘッド部に近づく方向に増加する極座標において、前記偏心位置が、前記極座標において、３００度から３２０度の範囲の方向に設定されていることを特徴とする請求項１記載の磁気ヘッド装置。
【請求項３】
前記第２の磁気ヘッド部の幅方向外縁部を削ることにより、前記第２の磁気ヘッド部における磁気ギャップと該第２の磁気ヘッド部の幅方向外縁部との寸法が、前記第２の磁気ヘッド部における磁気ギャップと該第２の磁気ヘッド部の幅方向内縁部との寸法より小さく設定されていることを特徴とする請求項１または２記載の磁気ヘッド装置。
【請求項４】
前記第２の磁気ヘッド部における磁気ギャップと該第２の磁気ヘッド部の幅方向外縁部との寸法が、前記第２の磁気ヘッド部における磁気ギャップと該第２の磁気ヘッド部の幅方向内縁部との寸法より小さく設定されていることを特徴とする請求項１から３のいずれか記載の磁気ヘッド装置。
【請求項５】
前記第１の磁気ヘッド部が低容量用の磁気ヘッド部とされ、前記第２の磁気ヘッド部が高容量用の磁気ヘッド部とされたことを特徴とする請求項１から４のいずれか記載の磁気ヘッド。
【発明の詳細な説明】
【０００１】
【発明の属する技術分野】
本発明は、低容量用の磁気ヘッド部と高容量用の磁気ヘッド部とが備えられた複合型の磁気ヘッド装置に関するものである。
【０００２】
【従来の技術】
従来、パーソナルコンピュータの基本的な情報記録装置の１つとして用いられてきたフロッピィディスク装置は、フロッピィ自体の記憶容量が７２０ｋＢ〜１．４４ＭＢ程度と小さく、情報読出速度も遅いことからフロッピィディスク装置以外の高容量ドライブの開発が種々試みられている。
以上のような背景において近年、フロッピィディスクに互換性を有し、フロッピィディスクよりも格段に高容量なディスクも使用可能な構成とされるとともに、情報の高速な読み書きが可能な磁気録装置の開発が進められている。
【０００３】
図２０ないし図２２に示す磁気ヘッド装置は、フロッピィドライブに互換性を有するこの種の高容量ドライブ用の磁気ヘッド装置の一例を示すもので、この例の磁気ヘッド装置は、磁気ヘッド装置の駆動ドライブ機構に接続される固定マウントに三角板状のロードビームが接続され、このロードビームの先端部に取付マウント３が設けられ、この取付マウント３に取り付けられたジンバルサスペンション部材４を介して磁気ヘッドスライダ５が装着されている。そして、この磁気ヘッドスライダ５の内部には、図２０，図２２に示すように高容量側の磁気ヘッドコア部Ｈ１と低容量側の磁気ヘッドコア部Ｈ２とが一体化された複合型の磁気ヘッドが組み込まれている。
【０００４】
図２０ないし図２１は取付マウント３に対するジンバルサスペンション部材４の取付状態と、ジンバルサスペンション部材４に対する磁気ヘッドスライダ５の取付状態とを示すもので、中空の枠状の取付マウント３の開口部を閉じるように板状のジンバルサスペンション部材４が設けられ、このジンバルサスペンション部材４の中央部において外方に突出するように磁気ヘッドスライダ５が取り付けられるとともに、ジンバルサスペンション部材４の中央部が取付マウント３から突出したピボット部３ａにより裏側から一点で押圧されている。
【０００５】
図２２は磁気ヘッドスライダ５を示すもので、磁気ヘッドスライダ５には、高容量用の磁気ヘッド部Ｈ１と、低容量用の磁気ヘッド部Ｈ２とが設けられている。高容量側の磁気ヘッド部Ｈ１と低容量用の磁気ヘッド部Ｈ２とは、非磁性体のスライダＨ３により接続されている。スライダＨ３は、高容量側の磁気ヘッド部Ｈ１を保持するエアベアリング部Ｈ３１と、エアベアリング部Ｈ３１から突出して低容量用の磁気ヘッド部Ｈ２を保持する接続部Ｈ３２とからなる。
ここで、低容量用の磁気ヘッド部Ｈ２には、バー部材Ｈ２１，Ｈ２２，Ｈ２３の先端のスライダＨ３と同じ側に、これらを橋渡しする形のバックバーＨ４が設けられ、バー部材Ｈ２１，Ｈ２２およびバー部材Ｈ２２，Ｈ２３に磁気ギャップＧ１，Ｇ２を有する磁気回路がそれぞれ形成される。
高容量側のヘッドコア部Ｈ１には、エアベアリング部Ｈ３１に埋め込まれたＩ型のコア部材とＣ型のコア部材とにより、磁気ギャップを有する磁気回路Ｇ３が形成される。
【０００６】
図２３は磁気ヘッドスライダ５における低容量用の磁気ヘッド部Ｈ２のドライブ状態を示し、図２４は磁気ヘッドスライダ５における高容量用の磁気ヘッド部Ｈ１のドライブ状態を示すものである。
磁気ヘッドスライダ５は、低容量用の磁気ヘッド部Ｈ２のドライブ状態においては、図２３に示すように、フロッピィディスク等の磁気記録媒体（ディスク）Ｄ’に接触して摺動しているが、高容量用の磁気ヘッド部Ｈ１のドライブ状態においては、図２４に示すように、磁気記録媒体（ディスク）Ｄから浮上して、非接触状態となっている。
このとき、高容量用の磁気ヘッド部Ｈ１と低容量用の磁気ヘッド部Ｈ２とは、ディスクＤへの対向面において、該ディスクＤの回転で生じた浮上圧力により浮上しているが、高容量用の磁気ヘッド部Ｈ１の幅よりも低容量用の磁気ヘッド部Ｈ２の幅の方が大きいため、低容量用の磁気ヘッド部Ｈ２に生じる浮力圧力が高容量用の磁気ヘッド部Ｈ１に生じる浮力圧力よりも大きくなる。
このため、低容量用の磁気ヘッド部Ｈ２とディスクＤとの間隔が、高容量用の磁気ヘッド部Ｈ１とディスクＤとの間隔よりも大きくなり、図２４に示すように、磁気ヘッドスライダ５は、ディスクＤに対して傾いた状態で浮上する。
【０００７】
ここで、高容量用の磁気ヘッド部Ｈ１の出力は、高容量用の磁気ヘッド部Ｈ１のディスクＤからの浮上量、つまり、高容量用の磁気ヘッド部Ｈ１とディスクＤとの距離に影響されている。特に、高容量用の磁気ヘッド部Ｈ１において、高容量用の磁気ヘッド部Ｈ１とディスクＤとの間が接近した状態の方が、ディスクからの磁気信号の感度が向上するため、高容量用の磁気ヘッド部Ｈ１の出力は高くなり、高容量用の磁気ヘッド部Ｈ１とディスクＤとの間がより離間した状態の方が、ディスクＤからの磁気信号の感度が低下するため、高容量用の磁気ヘッド部Ｈ１の出力は低くなる。
【０００８】
【発明が解決しようとする課題】
磁気記録媒体への記録読み出しの効率向上、および、磁気ヘッドの小型化等のために、高容量用の磁気ヘッド部Ｈ１の出力をより向上したいという要求があった。
【０００９】
本発明は、上記の事情に鑑みてなされたもので、以下の目的を達成しようとするものである。
▲１▼高容量用の磁気ヘッド部の出力の向上を図ること。
▲２▼磁気ヘッドの小型化と製作コストの低減を図ること。
【００１０】
【課題を解決するための手段】
本発明は、第１の磁気ヘッド部と第２の磁気ヘッド部とを相互に離間して設け、これらを磁気記録媒体に対して相対移動し、該磁気記録媒体への書き込み／読み出しをおこなう磁気ヘッドが、ジンバル部材に取り付けられるとともに、該磁気ヘッドが、このジンバル部材の裏側からピボット部により押圧される構成とされ、前記ピボット部のジンバル部材へ当接するピボット位置が、磁気ヘッドの中心位置から、第２の磁気ヘッド部側および／または磁気媒体の移動方向下流側に向くトレーリング側に偏心した位置に設定されていることにより上記課題を解決した。
さらに、前記ピボット位置が、具体的には、磁気ヘッドの中心位置からトレーリング側に向かう方向を０度とし、これから第１の磁気ヘッド部に近づく方向に増加する極座標において、２７０度から９０度の範囲の方向に設定され、より好ましくは、３００度から３２０度の範囲の方向に設定されていることが望ましい。
第２の磁気ヘッド部のドライブ状態において、第１の磁気ヘッド部と磁気記録媒体との間隔が、第２の磁気ヘッド部と磁気記録媒体との間隔よりも大きくなるよう磁気記録媒体に対して傾いた状態で浮上してなることができる。
【００１１】
このように、ピボット位置を偏心することにより、第２の磁気ヘッド部のドライブ状態において、磁気記録媒体に対して傾いた状態で浮上している磁気ヘッドの傾きを、さらに、大きくし、第２の磁気ヘッド部の磁気記録媒体からの浮上量、つまり、第２の磁気ヘッド部と磁気記録媒体との距離を減少する。このため、特に、第２の磁気ヘッド部の高域周波数帯において、第２の磁気ヘッド部における磁気記録媒体からの磁気信号の感度を向上することができ、第２の磁気ヘッド部の出力を高くすることができる。
【００１２】
本発明は、それぞれ磁気ギャップを有する第１の磁気ヘッド部と第２の磁気ヘッド部とを相互に離間して設け、これらを磁気記録媒体に対して相対移動し、該磁気記録媒体への書き込み／読み出しをおこなう磁気ヘッドが、ジンバル部材に取り付けられる構成とされ、前記第２の磁気ヘッド部における磁気ギャップと該第２の磁気ヘッド部の幅方向外縁部との寸法が、前記第２の磁気ヘッド部における磁気ギャップと該第２の磁気ヘッド部の幅方向内縁部との寸法より小さく設定されることにより上記課題を解決した。
本発明において、前記第２の磁気ヘッド部の幅方向外縁部を削ることにより、前記第２の磁気ヘッド部における磁気ギャップと該第２の磁気ヘッド部の幅方向外縁部との寸法が、前記第２の磁気ヘッド部における磁気ギャップと該第２の磁気ヘッド部の幅方向内縁部との寸法より小さく設定されることが望ましい。
また、本発明において、前記ピボット部のジンバル部材へ当接するピボット位置が、磁気ヘッドの中心位置から、第２の磁気ヘッド部側および／またはトレーリング側に偏心した位置に設定するとともに、前記第２の磁気ヘッド部における磁気ギャップと該第２の磁気ヘッド部の幅方向外縁部との寸法を、前記第２の磁気ヘッド部における磁気ギャップと該第２の磁気ヘッド部の幅方向内縁部との寸法より小さく設定する手段を採用することもできる。
【００１３】
このように、前記第２の磁気ヘッド部における磁気ギャップと該第２の磁気ヘッド部の幅方向外縁部との寸法を、前記第２の磁気ヘッド部における磁気ギャップと該第２の磁気ヘッド部の幅方向内縁部との寸法より小さく設定することにより、第２の磁気ヘッド部のドライブ状態において、磁気記録媒体に対して傾いた状態で浮上している磁気ヘッドのさらに外縁部に、磁気ギャップが位置するため、磁気ヘッドの傾き量は変わらない状態で、第２の磁気ヘッド部の磁気ギャップと磁気記録媒体との距離を減少する。このため、特に、第２の磁気ヘッド部の高域周波数帯において、第２の磁気ヘッド部における磁気記録媒体からの磁気信号の感度を向上することができ、第２の磁気ヘッド部の出力を高くすることができる。
本発明において、第１の磁気ヘッド部が低容量用の磁気ヘッド部とされ、第２の磁気ヘッド部が高容量用の磁気ヘッド部とされたことが可能である。
【００１４】
【発明の実施の形態】
以下、本発明に係る磁気ヘッド装置の第１実施形態を、図面に基づいて説明する。
図１は本発明の磁気ヘッド装置を示す斜視図、図２は、磁気ヘッドユニットを示す平面図である。
図１，図２において、符号３１は磁気ヘッドユニット、５０は磁気ヘッドである。
【００１５】
本実施形態の磁気ヘッド装置は、磁気ヘッドユニット３１と、この磁気ヘッドユニット３１を支持する細長い三角板状のロードビーム３２と、このロードビーム３２の基端部側に設けられたベースプレート３３とを主体として構成され、ベースプレート３３を磁気記録媒体のドライブ装置に取り付けることで磁気ヘッドユニット３１を磁気記録媒体に対して移動させることができるように構成されている。
なお、本実施形態の磁気ヘッド装置は、後述する高容量用の磁気ヘッド部と低容量用の磁気ヘッド部とが磁気ヘッドスライダに組み込まれたものであり、低容量用の磁気ヘッドは、容量１ＭＢ〜２ＭＢのフロッピィディスクを磁気記録媒体として利用し、フロッピィディスクに対して摺動する構造のものであり、高容量用の磁気ヘッドは、フロッピィディスクとほぼ同じ大きさのケースにフロッピィディスクよりも高容量（例えば１２０ＭＢもしくは２００ＭＢ）のディスクを収納してなる磁気記録媒体を利用し、この磁気記録媒体に対して浮上走行しながら磁気情報の記録再生をおこなうものである。
【００１６】
前記磁気ヘッドユニット３１は、図１に示すように、中空の矩形枠状の取付マウント３５と、その開口部に取り付けられた板状のジンバル部材３６と、このジンバル部材３６の底面側中央部に取り付けられた磁気ヘッド５０とを主体として構成されている。
【００１７】
前記ジンバル部材３６は、図１，図２に示すように、全体が一枚の板状とされ、その外周部の外枠体４０と、その内側に配された内枠体４１と、さらにその内側に配された内部プレート４２とを具備して構成されている。
このジンバル部材３６においては、前記外枠体４０の内周部の一側および他側の同軸位置に形成された外ブリッジ４３，４３を介して内枠体４１が支持され、さらに内枠体４１の内周部において、先の外ブリッジ４３，４３の形成位置とほぼ直交する同軸位置に内ブリッジ４５，４５が形成され、この内ブリッジ４５，４５により、内枠体４１の内側に内部プレート４２が支持されている。
ここで、外枠体４０の４隅のコーナー部分が枠状の取付マウント３５のコーナー部分に固定されており、取付マウント３５の開口部分の内側において、内部プレート４２が外ブリッジ４３，４３と内ブリッジ４５，４５とを介してつり下げられた状態とされている。
【００１８】
図３は磁気ヘッドユニットを示す正面図、図４は磁気ヘッドにおけるピボット位置を示す平面図である。
磁気ヘッド５０は、図３に示すように、ジンバル部材３６の中央部において外方に突出するように取り付けられるとともに、ジンバル部材３６の中央付近が取付マウント３５から突出したピボット部３５ａにより裏側から一点で押圧されている。
このピボット部３５ａによってジンバル部材３６を押圧するピボット位置Ｐは、図４に示すように、磁気ヘッド５０の中心位置Ｏから、高容量用の磁気ヘッド部５１側および／または図４にＴで示すトレーリング側に偏心した位置に設定されている。
さらに、ピボット位置Ｐは、図４に示すように、磁気ヘッド５０の中心位置Ｏからトレーリング側Ｔに向かう方向を０度とし、これから低容量用の磁気ヘッド部５２に近づく方向に増加する極座標θにおいて、図４にαで示す２７０度から９０度の範囲の方向に偏心した状態に設定される。さらに、より好ましくは、ピボット位置Ｐが、前記極座標θにおいて、図４にβで示す３００度から３２０度の範囲の方向に偏心した状態に設定されることが望ましい。
【００１９】
図５は本実施形態の磁気ヘッドを示す斜視図、図６はその平面図、図７はその側面図、図８はその正面図、図９はその側面図である。
磁気ヘッド５０は、図２，図５ないし図９に示すように、その幅方向一側に設けられる第２の磁気ヘッド部（高容量用の磁気ヘッド部）５１と、該高容量用の磁気ヘッド部５１と平行に他側に設けられた第１の磁気ヘッド部（低容量用の磁気ヘッド部）５２と、これらを接続するスライダ５３とから構成される。
非磁性材料からなるスライダ５３は、磁気媒体に対向して高容量用の磁気ヘッド部５１を保持するエアベアリング部５３ａと、該エアベアリング部５３ａおよび高容量用の磁気ヘッド部５１と低容量用の磁気ヘッド部５２とを接続する接続部５３ｂとを有する。なお、磁気ヘッド部５２，５３の媒体対向面は、媒体摺動面あるいは、エアベアリング面をしても作用する。
スライダ５３と低容量用の磁気ヘッド部５２とは、接着ガラス等を介して接着される。
【００２０】
高容量用の磁気ヘッド部５１は、磁性材料からなるコア部材５１ａ，５１ｂをギャップ材を介して接合して磁気ギャップＧ３を構成し、それらの両側位置にトラック幅を規制するために非磁性材料の充填された溝５１ｃ，５１ｃを設け、これらがエアベアリング部５３ａの側壁面に巻線穴５１ｄを設けて、かつ、エアベアリング部５３ａに埋め込まれて構成されている。
コア部材５１ａ，５１ｂは、巻線穴５１ｄを囲むように略リング状に形成されて磁気ギャップＧ３を有する磁気回路を形成している。
【００２１】
低容量用の磁気ヘッド部５２は、中央部のＩ型のコア部材５２ａの両側にＬ型のコア部材５２ｂ，５２ｃを、それぞれＩ型のコア部材５２ａとの間に磁気ギャップＧ１、Ｇ２を介して接合されて構成されるとともに、これらのコア部材５２ａ，５２ｂ，５２ｃを挿通可能な透孔５４Ａが、図２に示すように、ジンバル部材３６の内部プレート４２の中央部に形成されていて、この透孔５４Ａを介してコア部材５２ａ，５２ｂ，５２ｃを取付マウント３５の内部側に挿入し、接続部５３ｂを内部プレート４２に接着材等の固定手段によって固定することで磁気ヘッド部５１，５２がジンバル部材３６に取り付けられている。
また、高容量用の磁気ヘッド部５１は、内部プレート４２に形成された透孔５４Ｂに対してコア部材５１ａ，５１ｂの下側部分とエアベアリング部５３ａの下側部分を挿通した状態で先の接続部５３ｂとともに内部プレート４２に取り付けられている。
【００２２】
低容量用の磁気ヘッド部５２において、内部プレート４２を貫通して取付マウント３５の内部側に挿入されたコア部材５２ａ，５２ｂ，５２ｃの先端部側には、これらを橋渡しする形のＩ型のバックバー６０が設けられる。
バックバー６０は、後述する磁気回路のギャップロスを低減するために、弾性を有するクリップ部材６２によりその接続面をコア部材５２ａ，５２ｂ，５２ｃに押し付けられている。
バックバー６０の中央部は、絶縁体６１で分断されて構成され、該絶縁体６１とコア部材５２ａ，５２ｃ間に磁気ギャップＧ１を有する磁気回路が形成され、また、コア部材５２ａ，５２ｂ間に磁気ギャップＧ２を有する磁気回路が形成されている。
【００２３】
低容量用の磁気ヘッド部５２において、前記コア部材５２ｂ，５２ｃの先端部側には、これらのコア部材５２ｂ，５２ｃに挿通された矩形筒型のボビン６３，６３が設けられ、これらのボビン６３，６３には巻線が施されてコイルが形成されている。
次に、高容量用の磁気ヘッド部５１においては、コア部材５１ａ，５１ｂの境界部分に形成された巻線窓５１ｄ部分にコイル巻線が施され、コイルが形成されている。
これらのコイルの巻線は、複数の接続配線として引き出され、図１に示すように、これらの接続配線が集合して撚線状の引出線９０，９１として引き出されている。
【００２４】
図１０は磁気ヘッドの摺動時におけるドライブ状態を示す模式図、図１１は磁気ヘッドの浮上時におけるドライブ状態を示す模式図である。
磁気ヘッド５０は、低容量用の磁気ヘッド部５２のドライブ状態においては、図１０に示すように、フロッピィディスク等の磁気記録媒体（ディスク）Ｄ’に接触して摺動しているが、高容量用の磁気ヘッド部５１のドライブ状態においては、図１１に示すように、磁気記録媒体（ディスク）Ｄから浮上して、非接触状態となっている。
ここで、磁気ヘッド５０には、高容量用の磁気ヘッド部５１と低容量用の磁気ヘッド部５２とのディスクＤへの対向面において、該ディスクＤの回転で生じた浮上圧力により、図１１に矢印Ｆ2 で示す低容量用の磁気ヘッド部５２がディスクＤから離間する方向の浮上圧力と、図１１に矢印Ｆ1 で示す高容量用の磁気ヘッド部５１がディスクＤから離間する方向の浮上圧力とが働く。
【００２５】
このとき、磁気ヘッド５０と一体とされる内部プレート４２は、ピボット部材３５ａによりピボット位置Ｐを押圧されているため、浮上圧力Ｆ2 ，Ｆ1 が、ピボット位置Ｐを中心とする高容量用の磁気ヘッド部５１がディスクＤから離間する方向の回転力と、ピボット位置Ｐを中心とする低容量用の磁気ヘッド部５２がディスクＤから離間する方向の回転力とになる。
この際、高容量用の磁気ヘッド部５１の幅よりも低容量用の磁気ヘッド部５２の幅の方が大きいので、低容量用の磁気ヘッド部５２に生じる浮上圧力Ｆ2 が高容量用の磁気ヘッド部５１に生じる浮力圧力Ｆ1 よりも大きくなるため、低容量用の磁気ヘッド部５２とディスクＤとの間隔が、高容量用の磁気ヘッド部５１とディスクＤとの間隔よりも大きくなり、磁気ヘッド５０は、ディスクＤに対して傾いた状態で浮上する。
【００２６】
ここで、ピポット位置Ｐが、図１１に矢印Ｐ0 に示す磁気ヘッド５０の中心位置から、図１１に矢印Ｐ1 で示す図４のβで示す３００度から３２０度の範囲の方向に偏心した偏心位置に設定されるために、低容量用の磁気ヘッド部５２がディスクＤから離間する方向の回転力による浮上効果をより大きくすることができる。
その結果、低容量用の磁気ヘッド部５２とディスクＤとの間隔をより拡大することができるため、ピポット位置Ｐの逆側にある高容量用の磁気ヘッド部５１とディスクＤとの間隔をより減少することができる。
【００２７】
そのため、特に、高容量用の磁気ヘッド部５１の高域周波数帯において、高容量用の磁気ヘッド部５１におけるディスクＤからの磁気信号の感度を向上することができ、高容量用の磁気ヘッド部５１の出力を向上することができる。
【００２８】
以下、本発明に係る磁気ヘッド装置の第２実施形態を、図面に基づいて説明する。
本実施形態においては、第１実施形態と略同様の構成要素には同一の符号を付して説明を省略する。
【００２９】
図１２は本実施形態の磁気ヘッドを示す拡大斜視図、図１３は磁気ヘッドを示す平面図、図１４は磁気ヘッドを示す側面図、であり、図１２ないし図１４において、符号５５は高容量用の磁気ヘッド部である。
本実施形態の磁気ヘッドは、図１ないし図１１に示す第１実施形態における高容量用の磁気ヘッド部５１のかわりに、高容量用の磁気ヘッド部５５を有する構成とされる。
【００３０】
高容量用の磁気ヘッド部５５は、図１２ないし図１４に示すように、磁性材料からなるＩ型コア部材５５ａとＣ型コア部材５５ｂとをギャップ材を介して接合することにより磁気ギャップＧ３を構成し、該磁気ギャップＧ３の両側位置にトラック幅を規制するために非磁性材料の充填された溝５５ｃ，５５ｄを設け、これらＩ型コア部材５５ａとＣ型コア部材５５ｂとの中央付近に巻線穴５５ｅを設けて、かつ、エアベアリング部５３ａに接続されて構成されている。
コア部材５５ａ，５５ｂは、巻線穴５５ｅを囲むように略リング状に形成されて磁気ギャップＧ３を有する磁気回路を形成している。
Ｉ型コア部材５５ａには、巻線窓５５ｅを貫いてコイル巻線が施され、コイルが形成される。
【００３１】
該高容量用の磁気ヘッド部５５においては、図１３に示すように、磁気ギャップＧ３と高容量用の磁気ヘッド部５５の幅方向外縁部との寸法Ｗ0 を、磁気ギャップＧ３と高容量用の磁気ヘッド部５５の幅方向内縁部との寸法Ｗ1 より小さく設定する。具体的には、非磁性材料の充填された溝５５ｄの幅寸法Ｗ0 を、溝５５ｃの幅寸法Ｗ01より小さく設定する。
【００３２】
本実施形態の磁気ヘッド装置においては、高容量用の磁気ヘッド部５５のドライブ状態においては、図１１に示した第１実施形態と同様に、磁気ヘッド５０が、磁気記録媒体（ディスク）Ｄに対して傾いた状態で浮上して、非接触状態となっている。
図１５は、ドライブ状態にある高容量用の磁気ヘッド部５５とディスクＤとの付近を拡大した模式図である。
磁気ヘッド５０においては、高容量用の磁気ヘッド部５５の幅方向中央位置Ｇ０に対して、磁気ギャップＧ３が、高容量用の磁気ヘッド部５５の幅方向外縁部側に位置しているため、図１５に示すように、中央位置Ｇ０における高容量用の磁気ヘッド部５５とディスクＤとの距離Ｓ0 よりも、磁気ギャップＧ３における高容量用の磁気ヘッド部５５とディスクＤとの距離Ｓ1 のほうが小さくなる。
その結果、高容量用の磁気ヘッド部５５の高域周波数帯において、高容量用の磁気ヘッド部５５における磁気記録媒体Ｄからの磁気信号の感度を向上することができ、高容量用の磁気ヘッド部５５の出力を向上することができる。
【００３３】
なお、磁気ヘッド５０においては、高容量用の磁気ヘッド部５５の幅方向中央位置に磁気ギャップＧ３を位置するように溝５５ｃ，５５ｄの幅を等しく製造して、その後、高容量用の磁気ヘッド部５５の幅方向外縁部を研磨加工、ラップ加工等によって削ることにより、前記高容量用の磁気ヘッド部５５における磁気ギャップＧ３と高容量用の磁気ヘッド部５５の幅方向外縁部との寸法Ｗ0 を、前記高容量用の磁気ヘッド部５５における磁気ギャップＧ３と該高容量用の磁気ヘッド部５５の幅方向内縁部との寸法Ｗ1 より小さく設定することができる。
【００３４】
この際、磁気ギャップＧ３と高容量用の磁気ヘッド部５５の幅方向外縁部との寸法Ｗ0 を小さくするのみならず、高容量用の磁気ヘッド部５５の幅寸法を減少させることにより、高容量用の磁気ヘッド部５５に生じる浮上圧力が減少して、磁気ヘッド５０の傾き量を増大することができ、その結果、高容量用の磁気ヘッド部５５の磁気ギャップＧ３とディスクＤとの距離Ｓ1 をより減少することができる。
また、磁気回路を構成しているＩ型コア部材５５ａを細くすることができるため、Ｉ型コア部材５５ａからの漏洩磁気を減少して、磁気効率を向上することができる。
【００３５】
なお、本発明においては、高容量用の磁気ヘッド部５５として、高飽和磁束密度を有する薄膜磁性材料を媒体走行方向に形成してなるラミネートタイプの磁気ヘッド部を採用することもできる。この場合には、前述した寸法Ｗ1 ，Ｗ0 の設定をより容易に行うことができる。
【００３６】
【実施例】
以下、本発明を、実施例および比較例により、具体的に説明するが、本発明はこれらの実施例のみに限定されるものではない。
【００３７】
（実施例１）
高容量用の磁気ヘッド部と低容量用の磁気ヘッド部とを有する磁気ヘッドをジンバル部材に取り付けて、該ジンバル部材を取付マウントの開口部に取り付けるとともに、該ジンバル部材を取付マウントのピボット部により押圧して磁気ヘッドユニットを構成し、この磁気ヘッドユニットを細長い三角板状のフレキシャにより支持して、このフレキシャの基端部側をベースプレートを介して磁気記録媒体のドライブ装置に取り付けることで、磁気ヘッドユニットを磁気記録媒体に対して移動させることができる磁気ヘッド装置を作成した。
以下に、その寸法等の諸元を示す。
磁気ヘッド寸法
リーディング側からトレーリング側までの長さ：３ｍｍ
幅寸法：２．１ｍｍ
高容量用の磁気ヘッド部寸法
幅寸法：０．２４ｍｍ
磁気ギャップと磁気ヘッド幅方向端部との距離：０．３ｍｍ
磁気ギャップと磁気ヘッドトレーリング側端部との距離：０．４ｍｍ
低容量用の磁気ヘッド部寸法
幅寸法：０．３ｍｍ
磁気ギャップと磁気ヘッド幅方向端部との距離：０．３ｍｍ
磁気ギャップと磁気ヘッドリーディング側端部との距離：１．１５ｍｍ
【００３８】
この磁気ヘッド装置における高容量用の磁気ヘッド部のドライブ状態に対して、以下の条件で磁気記録媒体（ディスク）の最内周位置（ＩＤ）および最外周位置（ＯＤ）における磁気ヘッドの浮上量、および角度の浮上状態のシュミレーションをおこなった。
ピボット位置：図１６に示すように、磁気ヘッド中心位置Ｏから１００μｍトレーリング側に移動した点を中心とする、半径５μｍの円上で、トレーリング側を０度として、低容量用の磁気ヘッド部に近づく方向に増加する極座標において、０度、４５度、９０度、１３５度、１８０度、２２５度、２７０度、３１５度の点をそれぞれ、＃１，＃２，＃３，＃４，＃５，＃６，＃７，＃８とし、また、同様に、半径１００μｍの円上で、＃９，＃１０，＃１１，＃１２，＃１３，＃１４，＃１５，＃１６として、ピボット位置とする。
磁気記録媒体（ディスク）
回転数：３６００ｒｐｍ
最外周位置（ＯＤ）半径：３８．８ｍｍ
再内周位置（ＩＤ）半径：２３．６ｍｍ
バネ荷重：７ｇｆ
【００３９】
この結果を表１に、および最外周位置（ＯＤ）における浮上量とピボット方向との関係を図１７に、および最内周位置（ＩＤ）における浮上量とピボット方向との関係を図１８に、これらのまとめを表２に示す。
【００４０】
【表１】
0003638453.tif 000002
【００４１】
【表２】
0003638453.tif 000003
【００４２】
図１７，図１８、表２の結果から、ピボット位置の偏心方向が、２７０度から９０度の範囲の方向に設定される場合が、より好ましくは、３００度から３２０度の範囲の方向に設定される場合に、浮上量が減少することが判明した。
【００４３】
（実施例２）
実施例１と同様に、磁気ヘッド装置を作成して、磁気ギャップＧ３の位置を実施例１とは異なり、以下のように変動させて、ピボット位置を磁気ヘッド中心位置から１００μｍトレーリング側にずらして設定し、実施例１と同様の条件で、ＯＤにおけるヘッド出力のシュミレーションをおこなった。
ここで、磁気ギャップＧ３の位置の変動量は、実施例１の位置から、磁気ヘッドの幅方向（図１６におけるRoll方向）に−１００μｍ〜１００μｍ、および、磁気ヘッドの長さ方向外側（図１６におけるPitch 方向）に０〜２００μｍとした。
その結果を図１９に示す。
【００４４】
図１９の結果から、磁気ギャップの位置を高容量用の磁気ヘッド部の外縁部に近づけることにより、高容量用の磁気ヘッド部の出力を向上できることが判る。
【００４５】
（実施例３）
実施例１と同様に、磁気ヘッド装置を作成した。
ここで、以下の寸法を実施例１とは異なるものとした。
高容量用の磁気ヘッド部の幅寸法：０．２４ｍｍ
低容量用の磁気ヘッド部の幅寸法：０．３ｍｍ
【００４６】
（実施例４）
実施例３と同様に、磁気ヘッド装置を作成した。
ここで、以下の寸法を実施例１とは異なるものとした。
高容量用の磁気ヘッド部の幅寸法：０．２２ｍｍ
低容量用の磁気ヘッド部の幅寸法：０．３２ｍｍ
【００４７】
（実施例５）
実施例３と同様に、磁気ヘッド装置を作成した。
ここで、以下の寸法を実施例１とは異なるものとした。
高容量用の磁気ヘッド部の幅寸法：０．２５ｍｍ
低容量用の磁気ヘッド部の幅寸法：０．２７ｍｍ
これら実施例３〜５の磁気ヘッド装置に対して、ピボット位置を磁気ヘッド中心位置から１００μｍトレーリング側にずらして設定し、実施例１と同様の条件で浮上状態のシュミレーションをおこなった。
この結果を、表３，表４に示す。
【００４８】
【表３】
0003638453.tif 000004
【００４９】
【表４】
0003638453.tif 000005
【００５０】
表において、Hi-gapとは、図１６における磁気ギャップＧ３の位置、Hi対称とは、図１６におけるＴ３の位置、Low-gap とは図１６における磁気ギャップＧ２の位置、Low 対称とは、図１６におけるＴ２の位置を示す。
【００５１】
この結果、高容量用の磁気ヘッド部の幅寸法／低容量用の磁気ヘッド部の幅寸法の値によって、磁気ヘッドの傾きおよび、浮上量が変化し、この値が小さい方が浮上量が小さくなるということが判る。
【００５２】
【発明の効果】
本発明の磁気ヘッド装置によれば、以下の効果を奏する。
（１）第１の磁気ヘッド部（低容量用の磁気ヘッド部）と第２の磁気ヘッド部（高容量用の磁気ヘッド部）とを相互に離間して設け、これらを磁気記録媒体に対して相対移動し、該磁気記録媒体への書き込み／読み出しをおこなう磁気ヘッドが、ジンバル部材に取り付けられるとともに、このジンバル部材の裏側からピボット部により押圧される構成とされ、前記ピボット部のジンバル部材へ当接するピボット位置が、磁気ヘッドの中心位置から、高容量用の磁気ヘッド部側および／またはトレーリング側に偏心した位置に設定されていることにより、高容量用の磁気ヘッド部のドライブ状態において、磁気記録媒体に対して傾いた状態で浮上している磁気ヘッドの傾きを、さらに、大きくし、高容量用の磁気ヘッド部の磁気記録媒体からの浮上量、つまり、高容量用の磁気ヘッド部と磁気記録媒体との距離を減少するため、特に、高容量用の磁気ヘッド部の高域周波数帯において、高容量用の磁気ヘッド部における磁気記録媒体からの磁気信号の感度を向上することができ、高容量用の磁気ヘッド部の出力を高くすることができる。
（２）第２の磁気ヘッド部（高容量用の磁気ヘッド部）における磁気ギャップと該高容量用の磁気ヘッド部の幅方向外縁部との寸法が、高容量用の磁気ヘッド部における磁気ギャップと該高容量用の磁気ヘッド部の幅方向内縁部との寸法より小さく設定されることにより、高容量用の磁気ヘッド部のドライブ状態において、磁気ギャップが、磁気記録媒体に対して傾いた状態で浮上している磁気ヘッドのさらに外縁部に位置するため、磁気ヘッドの傾き量は変わらないが、高容量用の磁気ヘッド部の磁気ギャップと磁気記録媒体との距離を減少するため、特に、高容量用の磁気ヘッド部において、高容量用の磁気ヘッド部における磁気記録媒体からの磁気信号の感度を向上することができ、高容量用の磁気ヘッド部の出力を高くすることができる。
（３）上述のように、第２の磁気ヘッド部（高容量用の磁気ヘッド部）の磁気ギャップと磁気記録媒体との間の間隔を減少することによって、磁気ヘッドの出力を向上することができ、この結果、磁気ヘッドの小型化と製作コストの低減を図ることができる。
【図面の簡単な説明】
【図１】  本発明に係る磁気ヘッド装置の第１実施形態を示す斜視図である。
【図２】  図１における磁気ヘッドユニットを示す平面図である。
【図３】  図１における磁気ヘッドユニットを示す正面図である。
【図４】  図１における磁気ヘッドにおけるピボット位置を示す平面図である。
【図５】  図１における磁気ヘッドを示す斜視図である。
【図６】  図１における磁気ヘッドを示す平面図である。
【図７】  図１における磁気ヘッドを示す側面図である。
【図８】  図１における磁気ヘッドを示す正面図である。
【図９】  図１における磁気ヘッドを示す側面図である。
【図１０】  図１における磁気ヘッドの摺動時におけるドライブ状態を示す模式図である。
【図１１】  図１における磁気ヘッドの浮上時におけるドライブ状態を示す模式図である。
【図１２】  本発明における第２実施形態の磁気ヘッドを示す拡大斜視図である。
【図１３】  図１２における磁気ヘッドを示す平面図である。
【図１４】  図１２における磁気ヘッドを示す側面図である。
【図１５】  図１２における高容量用の磁気ヘッド部とディスクとの付近を拡大したドライブ状態を示す模式図である。
【図１６】  実施例１におけるピボット位置を示す平面図である。
【図１７】  最外周位置（ＯＤ）における浮上量とピポット方向との関係を示すグラフである。
【図１８】  最内周位置（ＩＤ）における浮上量とピポット方向との関係を示すグラフである。
【図１９】  実施例２における磁気ヘッドの幅方向および磁気ヘッドの長さ方向外側への磁気ギャップの位置変動量と、最外周位置（ＯＤ）におけるヘッド出力のシュミレーションを示すグラフである。
【図２０】  従来の磁気ヘッド装置における磁気ヘッドユニットを示す平面図である。
【図２１】  従来の磁気ヘッド装置における磁気ヘッドユニットを示す正面図である。
【図２２】  従来の磁気ヘッドを示す斜視図である。
【図２３】  従来の磁気ヘッドのドライブ状態を示す模式図である。
【図２４】  従来の磁気ヘッドのドライブ状態を示す模式図である。
【符号の説明】
Ｄ，Ｄ’…磁気記録媒体（ディスク）、Ｇ１，Ｇ２，Ｇ３…磁気ギャップ、３５ａ…ピボット部、３６…ジンバル部材、５０…磁気ヘッド、５１，５５…第２の磁気ヘッド部（高容量用の磁気ヘッド部）、５２…第１の磁気ヘッド部（低容量用の磁気ヘッド部）、５３…スライダ
【図１】
0003638453.tif 000006
【図２】
0003638453.tif 000007
【図３】
0003638453.tif 000008
【図４】
0003638453.tif 000009
【図５】
0003638453.tif 000010
【図６】
0003638453.tif 000011
【図７】
0003638453.tif 000012
【図８】
0003638453.tif 000013
【図９】
0003638453.tif 000014
【図１０】
0003638453.tif 000015
【図１１】
0003638453.tif 000016
【図１２】
0003638453.tif 000017
【図１３】
0003638453.tif 000018
【図１４】
0003638453.tif 000019
【図１５】
0003638453.tif 000020
【図１６】
0003638453.tif 000021
【図１７】
0003638453.tif 000022
【図１８】
0003638453.tif 000023
【図１９】
0003638453.tif 000024
【図２０】
0003638453.tif 000025
【図２１】
0003638453.tif 000026
【図２２】
0003638453.tif 000027
【図２３】
0003638453.tif 000028
【図２４】
0003638453.tif 000029